(57)【要約】【課題】メス刃の刃部分に触れずに、ホルダ本体から容易に取り外すことを可能とする歯科用メス刃ホルダを提供する。【解決手段】歯科用メス刃ホルダは、ホルダ本体と、スライド部材と、スライド部材をホルダ本体に取り付けるためのねじとを有する。ホルダ本体は、メス刃を載置する平面である載置面と、載置面の長手方向先端部に垂直方向上方に向かって突出し、嵌合孔の先端側端部に当接してメス刃を係止する第１の突起部とを有するメス刃取り付け部と、その長手方向後方に形成されたスライド面と、スライド面後端近傍に形成されたねじ穴とを有する。  スライド部材は、スライド面上に摺動自在に載置されたスライド部材であって、スライド部材の下側面先端に形成され、下側面から垂直方向下方に向かって突出し、嵌合孔の後端側内壁に当接してメス刃を係止する第２の突起部と、スライド部材の後方に形成され、ねじ軸が貫通可能な幅を有するスリットとを有する。【選択図】図２
2014131538.tif 000002
【特許請求の範囲】
【請求項１】
嵌合孔を有するメス刃を着脱可能に取り付ける歯科用メス刃ホルダであって、
前記メス刃を載置する平面である載置面と、前記載置面の長手方向先端部に垂直方向上方に向かって突出し、前記嵌合孔の先端側端部に当接して前記メス刃を係止する第１の突起部とを有するメス刃取り付け部と、
前記メス刃取り付け部の長手方向後方に形成されたスライド面と、
前記スライド面後端近傍に形成されたねじ穴と、
を有するホルダ本体と、
前記ねじ穴と螺合するねじ軸と、前記ねじ軸の上方端側に設けられたねじ頭とを有するねじと、
前記スライド面上に摺動自在に載置されたスライド部材であって、前記スライド部材の下側面先端に形成され、前記下側面から垂直方向下方に向かって突出し、前記嵌合孔の後端側内壁に当接して前記メス刃を係止する第２の突起部と、前記スライド部材の後方に形成され、前記ねじ軸が貫通可能な幅を有するスリットとを有するスライド部材と
を有する歯科用メス刃ホルダ。
【請求項２】
前記スライド部材は、前記スライド部材後端に形成され、上方に向かって延伸するレバー部と、
前記スライド面後端側に形成された、垂直方向下方に向かって傾斜する傾斜面と
をさらに有することを特徴とする請求項１に記載の歯科用メス刃ホルダ。
【発明の詳細な説明】
【技術分野】
【０００１】
本明細書に記載の実施の形態は、歯科用メス刃ホルダに関する。
【背景技術】
【０００２】
従来、外科や歯科に用いられるメスは、使用時に把持するハンドル部とその先端の刃先部は一体に形成するか、このメス刃とホルダを別体に構成して使用時にハンドル先端部にメス刃を装着するものが知られている。後者のハンドルとメス刃とを分離して製造供給し、使用時に両者を合体するものは作業用ナイフの場合には刃先の損耗状態に応じて新しいメス刃に交換し、医術用メスの場合使用済みの刃先を廃棄し、新しいメス刃に交換するなど使い捨て器具として広く使用されている。従来、使用時に把持するホルダ本体の先端部に設けたスリットなどの装着部にメス刃を装着する場合には、使用者が一方の手指で又は鉗子等の器具を使用してホルダ本体の装着部を固定した状態で他方の手指でメス刃を持って装着している（例えば、特許文献1）。
【先行技術文献】
【特許文献】
【０００３】
【特許文献１】特開２０００−１８５０５０号公報
【発明の概要】
【発明が解決しようとする課題】
【０００４】
しかしながら、メス刃は特に鋭く形成されているため、着脱時に怪我など負傷する恐れがあり、安全かつ容易に装着及び離脱することが難しかった。使用者が手指等で直接メス刃を持って装着、離脱することは危険であり、特に医術用メスなど鋭利な刃先を緊急時に交換することは不慮の事故を招く恐れがある。
【０００５】
本発明は、メス刃の刃部分に触れることなく、ホルダ本体から容易に取り外すことを可能とする歯科用メス刃ホルダを提供することを目的とする。
【課題を解決するための手段】
【０００６】
上記課題を解決するための手段として、本実施の形態は以下の特徴を有する。
【０００７】
本実施の形態は、嵌合孔を有するメス刃を着脱可能に取り付ける歯科用メス刃ホルダとして提案される。
【０００８】
歯科用メス刃ホルダは、ホルダ本体と、スライド部材と、スライド部材をホルダ本体に取り付けるためのねじとを有する。
【０００９】
ホルダ本体は、メス刃を載置する平面である載置面と、載置面の長手方向先端部に垂直方向上方に向かって突出し、嵌合孔の先端側端部に当接してメス刃を係止する第１の突起部とを有するメス刃取り付け部と、メス刃取り付け部の長手方向後方に形成されたスライド面と、スライド面後端近傍に形成されたねじ穴とを有する。
【００１０】
ねじは、ねじ穴と螺合するねじ軸と、ねじ軸の上方端側に設けられたねじ頭とを有する。
【００１１】
スライド部材は、スライド面上に摺動自在に載置されたスライド部材であって、スライド部材の下側面先端に形成され、下側面から垂直方向下方に向かって突出し、嵌合孔の後端側内壁に当接してメス刃を係止する第２の突起部と、スライド部材の後方に形成され、ねじ軸が貫通可能な幅を有するスリットとを有する。
【００１２】
また、スライド部材は、スライド部材後端に形成され、上方に向かって延伸するレバー部をさらに有していてもよい。
【００１３】
また、ホルダ本体は、スライド面後端側に形成された、垂直方向下方に向かって傾斜する傾斜面をさらに有していてもよい。
【図面の簡単な説明】
【００１４】
【図１】本発明の第１の実施の形態にかかる歯科用メス刃ホルダ１０を上から見下ろした上面図
【図２】歯科用メス刃ホルダの分解組み立て図
【図３】歯科用メス刃ホルダの拡大された部分上面図
【図４】図３に示した部分の側面図
【図５】メス刃の取り付けが完了し、ホルダ本体に固定された状態の断面図
【図６】スライド部材がメス刃取り付け部乃至スライド面に対してハの字状に開いた状態の前記Ａ−Ａ'断面線に沿った断面図
【図７】本変形例にかかる歯科用メス刃ホルダの、図３に示すＡ−Ａ'断面線に沿った断面図
【図８】スライド部材がメス刃取り付け部乃至スライド面に対してハの字状に開いた状態の前記Ａ−Ａ'断面線に沿った断面図
【図９】本発明の第２の実施の形態にかかる歯科用メス刃ホルダの部分側面図
【図１０】図９のＢ−Ｂ'矢線方向から歯科用メス刃ホルダの要部を見た外観図
【図１１】図９に示すＢ−Ｂ'線に沿った断面図
【図１２】図９に示すＢ−Ｂ'線に沿った断面図
【図１３】本変形例にかかる歯科用メス刃ホルダの、図９に示すＢ−Ｂ'断面線に沿った断面図
【図１４】スライド部材がメス刃取り付け部乃至スライド面に対してハの字状に開いた状態の前記Ａ−Ａ'断面線に沿った断面図
【発明を実施するための形態】
【００１５】
以下、図面を参照して本発明の実施の形態に係る歯科用メス刃ホルダを説明する。
【００１６】
[第１の実施の形態]
図１に、本発明の第１の実施の形態にかかる歯科用メス刃ホルダ１０を上方向から見下ろした図である上面図を示し、図２に歯科用メス刃ホルダ１０の分解組み立て図を示し、図３に歯科用メス刃ホルダ１０の拡大された部分上面図を示し、図４に図３に示した部分の側面図を示す。
【００１７】
歯科用メス刃ホルダ１０は、ホルダ本体１と、スライド部材５と、ねじ６とを有する。
【００１８】
ホルダ本体１は、その先端に形成されたメス刃取り付け部４と、メス刃取り付け部４の後方に形成されたスライド面９と、スライド面９の後方に形成されたねじ穴２を有している。ホルダ本体１は、使用目的に応じて把持し易い適宜形状に形成され、例えば合成樹脂のモールド成型、或いはアルミダイカスト成形、或いは棒状の鋼材空の削り出しで形成される。
【００１９】
メス刃取り付け部４は、ホルダ本体１先端側（図１中左方向）から突出して形成されたバー形状の部材であって、その上面はメス刃７を載せるための平面である載置面が形成されている。メス刃取り付け部４の先端には嵌合孔８に嵌合してメス刃７を係止するための第１の突起部４ａが形成されている。第１の突起部４ａは、上方から見下ろした場合に略円形、略楕円形、若しくは小判型などをしている柱状の突起である。
【００２０】
メス刃取り付け部４の後方(図面中の右方向)には、スライド部材５を載せた状態で、スライド部材５をホルダ本体１の長手方向に摺動可能に担持するスライド面９が形成されている。スライド面９の両側部には、スライド部材５のホルダ本体１の長手方向の摺動を案内する第１ガイド部３ａ、第２ガイド部３ｂが形成されている。第１ガイド部３ａ、第２ガイド部３ｂのスライド部材５に接する側面には、スライド部材５をガイドするためのガイド面が形成されている。
【００２１】
ねじ穴２は、スライド面９の後方端近傍に形成されたねじ穴であり、ねじ６のねじ軸が螺合する。
【００２２】
メス刃７はそれぞれ使用目的に応じた刃先形状に形成され、その先端部には刃先７ａが形成されるとともに、その基端部には、上記メス刃取り付け部４の第１の突起部４ａ、及びスライド部材５の第２の突起部と係合する嵌合孔８が形成されている。嵌合孔８の先端側内壁８ａは、上記第１の突起部４ａと係合し、嵌合孔８の後端側内壁８ｂがスライド部材５の第２の突起部と係合する形状に形成されている。
【００２３】
スライド部材５は、スライド面９及び第１ガイド部３ａ，第２ガイド部３ｂで規定された空間に収容可能な垂直短手方向断面を略方形乃至長方形とする棒状の部材である。スライド部材５はその先端部の下方に、垂直方向下方に向かって突出する、嵌合孔８の後端側内壁８ｂと係合する第２の突起部が形成されているとともに、その後端部にはねじ６のねじ軸が貫通可能であって、ねじ軸が貫通した状態のまま、スライド部材５をホルダ本体１の長手方向前後に摺動可能とするスリット５ｂが形成されている。スライド部材５の左右側面は、第１ガイド部３ａ、第２ガイド部３ｂの内側平面と摺接することにより、ホルダ本体１の水平短手方向にがたつきを生じずに、ホルダ本体１の長手方向に摺動する。スライド部材５の後端部には、スライド部材５の先端を上方に持ち上げるための、板状や棒状のレバー５ｃが形成されていてもよい。ユーザがこのレバーを斜め下方向に押し下げることにより、スライド部材５の後端下側角を旋回軸として、スライド部材５を旋回させることができる。
【００２４】
ねじ６は、ねじ頭とねじ軸を有するねじであって、このねじ軸はねじ穴２に螺合する。ねじ６を締めると、ねじ６のねじ頭がスライド部材５を垂直下方向に向かってスライド面９に押し付けることによってスライド部材５は固定される。ねじ６を緩めると、スライド部材５がスライド面９に押し付けられる力が減少し、スライド部材５はホルダ本体１の長手方向前後に摺動自在となる。また、ねじ６のねじ頭がスライド部材５上面部から十分離間するまでねじ６を緩めると、スライド部材５の後端部を強く押し下げることにより、スライド部材５の先端部を垂直方向上方に上げることが可能となる。
【００２５】
[メス刃７の取り付け時の動作]
メス刃７を歯科用メス刃ホルダ１０に取り付けるときの動作について説明する。まず、ねじ６を緩めて、スライド部材５を摺動可能な状態としておく。この状態でスライド部材５をホルダ本体１の長手方向後方に移動させて、メス刃取り付け部４上にメス刃７を載せることが可能な状態にしておく。
【００２６】
ここで、メス刃７の嵌合孔８にメス刃取り付け部４の第１の突起部４ａを嵌合させる。この状態でスライド部材５をホルダ本体１の長手方向後方に移動させて、スライド部材５の第２の突起部がメス刃７の嵌合孔８に収まる位置に移動させる。スライド部材５の第２の突起部がメス刃７の嵌合孔８に収まった状態で、第２の突起部が後端側内壁８ｂに当接するまでスライド部材５をホルダ本体１の長手方向後方に後退させると、嵌合孔８の先端側内壁８ａがメス刃取り付け部４の第１の突起部４ａに当接するとともに嵌合孔８の後端側内壁８ｂがスライド部材５の５ａに当接する状態となる。この状態でねじ６を締めてスライド部材５の摺動を規制すると、メス刃７のホルダ本体１の水平長手方向及び水平短手方向の変位（ずれ、がたつき）は第１の突起部４ａ及び第２の突起部によって規制されるとともに、垂直上下方向の変位（ずれ、がた）はメス刃７の後端部がスライド部材５の先端部とメス刃取り付け部４上面によって強く挟まれることにより規制される。すなわちメス刃７はホルダ本体１いずれの方向にずれることなく固定されて、安全かつ正確に操作、施術できるようになる。
【００２７】
図３に示すＡ−Ａ'断面線に沿った断面図であって、メス刃７の取り付けが完了し、ホルダ本体１に固定された状態の断面図を図５に示す。スライド部材５は締めたねじ６によってスライド面９に押し付けられることにより、ホルダ本体１の長手方向に摺動しないよう規制されている。嵌合孔８の先端側内壁８ａには、メス刃取り付け部４の第１の突起部４ａの前縁部が当接しているとともに、嵌合孔８の後端側内壁８ｂには、スライド部材５のスリット５ｂの後縁部が当接している。また、スライド部材５の先端部分下面は、メス刃７の後端部分をメス刃取り付け部４の後端部上面及びスライド面９の先端部上面とで挟み付けて、メス刃７をホルダ本体１に固定している。
【００２８】
[メス刃７の取り外し時の動作]
メス刃７を歯科用メス刃ホルダ１０から取り外すときの動作について説明する。図５のメス刃７固定状態から、ねじ６を緩めて、スライド部材５を摺動可能な状態としておく。この状態でスライド部材５をホルダ本体１の長手方向前方に移動させて、スライド部材５の第２の突起部が嵌合孔８の８ｂから離間する位置に移動させる。この状態からスライド部材５の前端部が上方に上がるように、スライド部材５のスライド部材５ｃを使用者の親指などで軽く押し下げる。すると、スライド部材５は、メス刃取り付け部４乃至スライド面９に対してハの字状に開く。図６に、スライド部材５がメス刃取り付け部４乃至スライド面９に対してハの字状に開いた状態の前記Ａ−Ａ'断面線に沿った断面図を示す。
【００２９】
この状態では、メス刃７に対して、メス刃取り付け部４の第１の突起部４ａ及びスライド部材５のスリット５ｂによるホルダ本体１長手方向の動きの規制が解消されるとともに、メス刃７の後端部分をメス刃取り付け部４の後端部上面及びスライド面９の先端部上面による垂直上げ方向の動きの規制が解消される。
【００３０】
この状態で、ホルダ本体１の使用者はメス刃７の側部や後端部を指などで下方から軽く触る程度に押し上げることによって、メス刃７はホルダ本体１から容易に取り外し可能となる。したがって、使用者は刃先に触る危険もなく、また取り外しのための器具を使用することなく、容易かつ迅速にメス刃７の取り外しを完了することができるのである。
【００３１】
[変形例]
スライド部材５をメス刃取り付け部４乃至スライド面９に対してハの字状に開くことをより容易にするため、スライド面９の後方部に垂直方向下方に向かって傾斜する傾斜面であるスライド面９ａを形成するようにしてもよい。
【００３２】
図７に、本変形例にかかる歯科用メス刃ホルダ１０の、図３に示すＡ−Ａ'断面線に沿った断面図であって、メス刃７の取り付けが完了し、ホルダ本体１に固定された状態の断面図を示す。
【００３３】
図８に、スライド部材５がメス刃取り付け部４乃至スライド面９に対してハの字状に開いた状態の前記Ａ−Ａ'断面線に沿った断面図を示す。スライド部材５の後端部下面が、スライド面９ａ上面に接するように押し下げ可能であるため、さらに容易にスライド部材５がメス刃取り付け部４乃至スライド面９に対してハの字状に開いた状態とすることができる。
【００３４】
[第２の実施の形態]
第２の実施の形態は、基本的に第１の実施の形態と同様であるが、メス刃取り付け部４がホルダ本体１本体に対して垂直上下方向に「くの字」状に折れた形状であり、これに合わせてスライド部材５の前方部も垂直上下方向に「くの字」状に折れた形状であることを特徴としている。
【００３５】
図９に、本発明の第２の実施の形態にかかる歯科用メス刃ホルダ１０の部分側面図を示し、図１０に、図９のＢ−Ｂ'矢線方向から歯科用メス刃ホルダ１０の要部を見た外観図を示す。なお、第１の実施の形態と同一の構成要素には同一の参照符号を付し、これらの詳細な説明は省略する。
【００３６】
[メス刃７の取り付け時の動作]
図１１に、図９に示すＢ−Ｂ'線に沿った断面図であって、メス刃７の取り付けが完了し、ホルダ本体１に固定された状態の断面図を示す。スライド部材５は締めたねじ６によってスライド面９に押し付けられることにより、ホルダ本体１の長手方向に摺動しないよう規制されている。嵌合孔８の先端側内壁８ａには、メス刃取り付け部４の第１の突起部４ａの前縁部が当接しているとともに、嵌合孔８の後端側内壁８ｂには、スライド部材５のスリット５ｂの後縁部が当接している。また、スライド部材５の先端部分下面は、メス刃７の後端部分をメス刃取り付け部４の後端部上面乃至スライド面９の先端部上面とで挟み付けて、メス刃７をホルダ本体１に固定している。これは、第１の実施の形態と同様である。
【００３７】
[メス刃７の取り外し時の動作]
メス刃７をホルダ本体１から取り外すときの動作について説明する。図１１のメス刃７固定状態から、ねじ６を緩めて、スライド部材５を摺動可能な状態としておく。この状態でスライド部材５をホルダ本体１の長手方向前方に移動させて、スライド部材５の第２の突起部が嵌合孔８の８ｂから離間する位置に移動させる。図１２に、スライド部材５をホルダ本体１の長手方向前方に移動させて、スライド部材５の第２の突起部が嵌合孔８の嵌合孔８ｂから離間する位置に移動させた状態の、図９に示すＢ−Ｂ'線に沿った断面図を示す。メス刃７に対して、メス刃取り付け部４の第１の突起部４ａ及びスライド部材５のスリット５ｂによるメス刃取り付け部４長手方向の動きの規制が解消されるとともに、メス刃７の後端部分をメス刃取り付け部４の後端部上面乃至スライド面９の先端部上面によるメス刃取り付け部４の載置面に対する垂直上下方向の動きの規制が解消される。
【００３８】
この状態で、ホルダ本体１の使用者はメス刃７の側部や後端部を指などで下方から軽く触る程度に押し上げることによって、メス刃７はホルダ本体１から容易に取り外し可能となる。したがって、使用者は刃先に障る危険もなく、また取り外しのための器具を使用することなく、容易かつ迅速にメス刃７の取り外しを完了することができるのである。
【００３９】
[変形例]
第１の実施の形態と同様に、スライド部材５をメス刃取り付け部４乃至スライド面９に対してハの字状に開くことをより容易にするため、スライド面９の後方部に垂直方向下方に向かって傾斜する傾斜面であるスライド面９ａを形成するようにしてもよい。
【００４０】
図１３に、本変形例にかかる歯科用メス刃ホルダ１０の、図９に示すＢ−Ｂ'断面線に沿った断面図であって、メス刃７の取り付けが完了し、ホルダ本体１に固定された状態の断面図を示す。
【００４１】
図１４に、スライド部材５がメス刃取り付け部４乃至スライド面９に対してハの字状に開いた状態の前記Ａ−Ａ'断面線に沿った断面図を示す。スライド部材５の後端部下面が、スライド面９ａ上面に接するように押し下げ可能であるため、さらに容易にスライド部材５がメス刃取り付け部４乃至スライド面９に対してハの字状に開いた状態とすることができる。
【符号の説明】
【００４２】
１…ホルダ本体；  ２…ねじ穴；  １…ホルダ本体１；  ３ａ…第１ガイド部；  ３ｂ…第２ガイド部；  ４…メス刃取り付け部；  ４…第１の突起部；  ５…スライド部材；  ５ａ…第２の突起部；５ｂ…スリット；  ６…ねじ；  ７…メス刃；  ７ａ…刃先；  ８…嵌合孔；  ８ａ…先端側内壁；  ８ｂ…後端側内壁；  ９…スライド面；  １０…歯科用メス刃ホルダ
【図１】
2014131538.tif 000003
【図２】
2014131538.tif 000004
【図３】
2014131538.tif 000005
【図４】
2014131538.tif 000006
【図５】
2014131538.tif 000007
【図６】
2014131538.tif 000008
【図７】
2014131538.tif 000009
【図８】
2014131538.tif 000010
【図９】
2014131538.tif 000011
【図１０】
2014131538.tif 000012
【図１１】
2014131538.tif 000013
【図１２】
2014131538.tif 000014
【図１３】
2014131538.tif 000015
【図１４】
2014131538.tif 000016